(57)【要約】【課題】表示された情報格納画像に格納された格納情報を読み取ることが困難な状況下でも、その格納情報の読み取りを容易にする。【解決手段】情報格納画像４を表示面２に表示する表示手段と、前記表示手段により前記表示面に表示される画像のコントラストを変更するコントラスト変更手段とを有する画像表示装置１０であって、前記表示手段により前記情報格納画像を表示するとき、前記コントラスト変更手段によりコントラストを高めるコントラスト制御を実行するコントラスト制御手段を有する。【選択図】図１
2018004801.tif 000002
【特許請求の範囲】
【請求項１】
情報格納画像を表示面に表示する表示手段と、
前記表示手段により前記表示面に表示される画像のコントラストを変更するコントラスト変更手段とを有する画像表示装置であって、
前記表示手段により前記情報格納画像を表示するとき、前記コントラスト変更手段によりコントラストを高めるコントラスト制御を実行するコントラスト制御手段を有することを特徴とする画像表示装置。
【請求項２】
請求項１に記載の画像表示装置において、
前記情報格納画像は、二次元コード画像であることを特徴とする画像表示装置。
【請求項３】
請求項１又は２に記載の画像表示装置において、
前記コントラスト制御手段は、前記所定の情報読取手段で前記情報格納画像に格納された格納情報を読み取るためのコントラスト条件が満たされているか否かを判断し、該コントラスト条件が満たされていない場合に前記コントラスト制御を実行し、該コントラスト条件が満たされている場合には前記コントラスト制御を実行しないことを特徴とする画像表示装置。
【請求項４】
請求項３に記載の画像表示装置において、
画像のコントラストを低くする低コントラスト動作モードと該低コントラスト動作モードよりもコントラストを高くする高コントラスト動作モードとを有し、
前記コントラスト制御手段は、前記低コントラスト動作モードで動作しているときに前記コントラスト条件が満たされていないと判断することを特徴とする画像表示装置。
【請求項５】
請求項３又は４に記載の画像表示装置において、
前記表示面を照らす明るさを検出する検出手段を有し、
前記コントラスト制御手段は、前記検出手段が検出した明るさが規定値を超えているときに前記コントラスト条件が満たされていないと判断することを特徴とする画像表示装置。
【請求項６】
請求項１乃至５のいずれかの画像表示装置において、
前記表示手段は、前記表示面に画像を投写して表示する画像投写手段であることを特徴とする画像表示装置。
【発明の詳細な説明】
【技術分野】
【０００１】
本発明は、画像表示装置に関するものである。
【背景技術】
【０００２】
従来、ＱＲコード（登録商標）などのマトリックス型二次元コード等の情報格納画像を表示面に表示可能なプロジェクタ等の画像表示装置が知られている。
【０００３】
特許文献１には、記憶手段に記憶されたデータをエンコードしてコード画像を生成し、生成したコード画像をスクリーンに投写するプロジェクタが開示されている。このプロジェクタによって投写されたコード画像は、タブレット端末等のカメラ付き電子機器で撮像されてデコードされ、そのコード画像に格納されたデータが当該電子機器に読み取られる。
【発明の概要】
【発明が解決しようとする課題】
【０００４】
一般に、プロジェクタには、表示画像のコントラストを変更するコントラスト変更手段が備わっている。これにより、例えばユーザーが低コントラストの指示操作をしたときや、省電力モードなどの制御実行時に、表示画像が低コントラストになる。このような低コントラスト時に情報格納画像を表示した場合、カメラ付き電子機器等の情報読取手段でその情報格納画像に格納された格納情報を読み取ることが困難となるという課題があった。
【０００５】
この課題は、プロジェクタに限らず、液晶ディスプレイなどのコントラスト変更手段を備えた画像表示装置においても、情報格納画像を表示させる場合には同様に生じる課題である。
【課題を解決するための手段】
【０００６】
上述した課題を解決するために、本発明は、情報格納画像を表示面に表示する表示手段と、前記表示手段により前記表示面に表示される画像のコントラストを変更するコントラスト変更手段とを有する画像表示装置であって、前記表示手段により前記情報格納画像を表示するとき、前記コントラスト変更手段によりコントラストを高めるコントラスト制御を実行するコントラスト制御手段を有することを特徴とする。
【発明の効果】
【０００７】
本発明によれば、表示された情報格納画像に格納された格納情報を読み取ることが困難な状況下でも、その情報格納画像に格納された格納情報の読み取りが容易になるという優れた効果が奏される。
【図面の簡単な説明】
【０００８】
【図１】実施形態のプロジェクタを用いる画像表示システムの構成を説明するための説明図である。
【図２】同プロジェクタの構成を示すブロック図である。
【図３】（ａ）は、スマートフォンをプロジェクタに通信可能に接続する際にプロジェクタが表示する初期画面であり、（ｂ）は、通信接続のために必要な設定情報が格納された二次元コード画像を表示するコード表示画面である。
【図４】実施形態における通信接続処理の流れを示すフローチャートである。
【図５】変形例１における通信接続処理の流れを示すフローチャートである。
【図６】変形例２における通信接続処理の流れを示すフローチャートである。
【発明を実施するための形態】
【０００９】
以下、本発明を、画像表示装置としての画像投写装置であるプロジェクタに適用した一実施形態について説明する。
図１は、本実施形態のプロジェクタを用いる画像表示システムの構成を説明するための説明図である。
本実施形態の画像表示システムは、情報読取手段としてのカメラ付き電子機器であるスマートフォン１とプロジェクタ１０とから構成され、スマートフォン１とプロジェクタ１０とを通信可能に接続して、プロジェクタ１０で画像を投写するものである。なお、本実施形態では、スマートフォン１とプロジェクタ１０との間の接続を無線で接続するが、有線で接続してもよい。
【００１０】
本実施形態において、スマートフォン１をプロジェクタ１０に通信可能に接続する際、まず、スマートフォン１は、プロジェクタ１０から、通信接続のために必要な設定情報を取得する。具体的には、その設定情報が格納された情報格納画像として、ＱＲコード（登録商標）等の二次元コード画像を、プロジェクタ１０から表示面であるスクリーン２へ投写する。そして、ユーザーは、スマートフォン１にインストールされている所定のアプリケーションソフトを用い、スマートフォン１に備わっている撮像手段としてのカメラにより、スクリーンに表示された二次元コード画像４を撮像する。撮像した二次元コード画像４の画像データは、当該アプリケーションソフトによってデコード処理されて、二次元コード画像４に格納されている設定情報がスマートフォン１に取得される。
【００１１】
このようにして設定情報を取得したスマートフォン１は、当該アプリケーションソフトにより、その設定情報に従ってプロジェクタ１０と通信可能に接続するための接続処理を実行する。これにより、スマートフォン１とプロジェクタ１０との間で通信が確立され、スマートフォン１内の画像データをプロジェクタ１０へ送信することができる。その結果、スマートフォン１の画面に表示されている画像と同じ画像をプロジェクタ１０からスクリーン２に表示させることができる。
【００１２】
図２は、本実施形態におけるプロジェクタの構成を示すブロック図である。
本実施形態のプロジェクタ１０は、外部Ｉ／Ｆ部１００、システム制御部１０１、音声処理部１０２、スピーカー１０３、映像処理部１０４、光学ユニット制御部１０５、光学ユニット１０６、光源制御部１０７、光源１０８、電源制御部１０９、電源１１０、操作部１１１、リモコン受信部１１２、記憶部１１３、ファン制御部１１４、ファン１１５、温度測定部１１６等を備えている。
【００１３】
外部Ｉ／Ｆ部１００は、スマートフォン１を含む外部の電子機器との間で各種情報を入出力するためのインターフェースである。外部Ｉ／Ｆ部１００を介して外部の電子機器（映像出力機器）等と接続されることで、画像データや音声データを含む各種情報の入出力（送受信）を行う。外部Ｉ／Ｆ部１００は、画像データや画像データの制御情報等の送受信を行うための映像ポート１００１と、音声データや音声データの制御情報等の送受信を行うための音声ポート１００２と、ＵＳＢ（Universal Serial Bus）端子と接続された電子機器と各種情報を送受信するためのＵＳＢポート１００３と、ＬＡＮ（Local Area Network）に有線接続された電子機器と各種情報を送受信するためのＬＡＮポート１００４、ＬＡＮに無線接続された電子機器と各種情報を送受信するための無線ＬＡＮポート１００５とを備えている。本実施形態のスマートフォン１は、外部Ｉ／Ｆ部１００の無線ＬＡＮポート１００５を介して各種データの通信を行う。
【００１４】
システム制御部１０１は、プロジェクタ１０を構成する他の各部を制御する。システム制御部１０１は、ＣＰＵ（Central Processing Unit）１０１１と、ＲＯＭ（Read Only Memory）１０１２と、ＲＡＭ（Random Access Memory）１０１３と、画像処理部１０１４とにより実現される。ＣＰＵ１０１１は、ＲＯＭ１０１２やシステム制御部１０１に記憶された各種プログラムに従って、後述するコントラスト制御を含む各種制御や機能を実現する演算装置である。ＲＯＭ１０１２は、プロジェクタ１０で実行可能な各種プログラムや、これらの各種プログラムを実行する際に使用される各種データ、及びＣＰＵ１０１１の演算処理結果などを記憶する不揮発性の半導体メモリ（記憶装置）である。ＲＡＭ１０１３は、ＣＰＵ１０１１によって実行される各種プログラムなどを展開するためのプログラム格納領域や、各種入出力データや各種プログラムの実行結果などを格納するデータ格納領域などを備える揮発性の半導体メモリ（記憶装置）である。画像処理部１０１４は、映像処理部１０４から入力した画像データに、台形補正、色補正などの画像処理を行う。
【００１５】
音声処理部１０２は、外部Ｉ／Ｆ部１００を介して入力された（受信した）音声データのうち、音量調整や音質調整等の処理を行う。音声処理部１０２は、入力された音声データに対して音量調整や音質調整等の処理を行った後、この処理後の音声データをスピーカー１０３や音声出力ポートに出力する。スピーカー１０３は、音声処理部１０２から入力された音声データに従って、音声を出力する音声出力装置である。なお、スピーカー１０３は、プロジェクタ１０に内蔵されている内蔵型のスピーカーでもよいし、例えば音声出力ポートを介してケーブルやネットワークなどに接続される外部機器のスピーカーでもよい。
【００１６】
映像処理部１０４は、外部Ｉ／Ｆ部１００を介して入力された（受信した）画像データに対して、システム制御部１０１が適切に扱えるよう各種処理を行う。映像処理部１０４は、入力された画像データに対して各種処理を行った後、この処理後の画像データをＲＡＭ１０１３やバッファメモリ等に出力する。
【００１７】
光学ユニット制御部１０５は、光学ユニット１０６を制御して、映像処理部１０４からＲＡＭ１０１３やバッファメモリ等に出力された画像データに基づく画像を、スクリーン２へ投写するための制御を実行する。光学ユニット１０６は、レンズ、ミラーなどの光学部品から構成されるユニット（部品）である。
【００１８】
光源制御部１０７は、システム制御部１０１からの指示に基づき、光源１０８の点灯や消灯を制御したり、光源１０８の光量を制御したりする。光源１０８は、例えば水銀ランプを用いることができるが、これに限られない。
【００１９】
電源制御部１０９は、電源１１０を制御する。電源１１０はプロジェクタ１０に電力を供給する。
【００２０】
操作部１１１は、ユーザーからの各種操作入力を受け付け、受け付けた操作入力内容をシステム制御部１０１へ送る。操作部１１１は、例えばカーソルキーや文字／数字キー、各種機能キー等からの入力を受け付ける。
リモコン受信部１１２は、遠隔操作機器（リモコン）からの各種操作入力を受け付け、受け付けた操作入力内容をシステム制御部１０１へ送る。リモコン受信部１１２は、例えば赤外線方式のリモコンからカーソルキーや文字／数字キー、各種機能の入力を受け付ける。
【００２１】
記憶部１１３は、例えばＥＥＰＲＯＭ（Electrically Erasable Programmable ROM）等の不揮発性の半導体メモリ（記憶装置）である。記憶部１１３は、プロジェクタ１０が実行可能な各種プログラムやこれらの各種プログラムを実行する際に使用される各種データ等を記憶する。各種データとは、例えばプロジェクタ１０の各種設定に用いられる設定値などである。なお、記憶部１１３は、例えばＨＤ（Hard Disk）などの記憶装置であってもよい。また、記憶部１１３は、例えばプロジェクタ１０とネットワークを介して接続される外部記憶装置であってもよい。
【００２２】
ファン制御部１１４は、ファン１１５を制御する。ファン１１５は、プロジェクタ本体もしくはプロジェクタの構成部品を冷却したり、排熱したりするためのものである。
【００２３】
温度測定部１１６は、プロジェクタ内部の温度を測定する温度センサである。
照度測定部１１７は、プロジェクタ１０の周囲の明るさを測定する照度センサである。
【００２４】
図３（ａ）は、スマートフォン１をプロジェクタ１０に通信可能に接続する際にプロジェクタ１０が表示する初期画面Ａであり、図３（ｂ）は、通信接続のために必要な設定情報が格納された二次元コード画像を表示するコード表示画面Ｂである。
図４は、本実施形態における通信接続処理の流れを示すフローチャートである。
【００２５】
ユーザーがプロジェクタ１０の操作部１１１に通信接続処理を開始させる操作入力を行うと、図３（ａ）に示すような初期画面Ａがプロジェクタ１０によりスクリーン２に表示される。この初期画面Ａには、「［Ｅｎｔｅｒ］  コード画像の表示」という操作内容を説明する画像部６が表示されている。この初期画面Ａが表示されているときに、ユーザーは、プロジェクタ１０の［Ｅｎｔｅｒ］キーを押下すると（Ｓ１）、その操作入力が操作部１１１に受け付けられ、システム制御部１０１に送られる。これにより、システム制御部１０１は、画像処理部１０１４により、光学ユニット１０６からスクリーン２へ投写される画像のコントラストを高めるコントラスト制御を実行する（Ｓ２）。スクリーン２へ投写される画像のコントラストを高める方法は、特に制限はなく、公知の方法を広く用いることができる。
【００２６】
本実施形態のコントラスト制御では、投写画像のコントラストが設定可能な最大のコントラストが得られるような二次元コード画像用のコントラスト設定に変更するが、二次元コード画像の認識率が許容範囲となるコントラストが得られるのであれば、最大のコントラストが得られる設定でなくてもよい。特に、二次元コード画像４にとって最大のコントラストが得られるときに、コード表示画面Ｂに含まれる二次元コード画像４以外の説明文を示す画像部３や操作内容を示す画像部５が見にくくなる場合がある。このような場合には、二次元コード画像の認識率を許容範囲にすることができ、かつ、他の画像部３，５の視認性も許容範囲に維持できるようなコントラスト設定にすることが好ましい。
【００２７】
その後、システム制御部１０１は、記憶部１１３等に格納されている二次元コード画像の画像データを読み出し、これに基づいて図３（ｂ）に示すような二次元コード画像４を含むコード表示画面Ｂをスクリーン２へ投写させる制御を実行する（Ｓ３）。これにより、スクリーン２には、高いコントラストの二次元コード画像４が表示される。
【００２８】
スクリーン２に表示されるコード表示画面Ｂには、「スマートフォン撮影アプリでコード画像を読み取ってください。」という説明文を表示した画像部３や、「［Ｅｎｔｅｒ］  戻る」という操作内容を説明する画像部５が表示されている。このコード表示画面Ｂが表示されているときに、ユーザーは、スマートフォン１にインストールされている対応アプリケーションソフトを起動し、スマートフォン１のカメラで、スクリーン２に表示された二次元コード画像４を撮像する。これにより、上述したように、撮像した二次元コード画像４に格納された設定情報がスマートフォン１に取得され、スマートフォン１とプロジェクタ１０との間で通信が確立される。
【００２９】
その後、ユーザーがプロジェクタ１０の［Ｅｎｔｅｒ］キーを押下すると（Ｓ４）、その操作入力が操作部１１１に受け付けられ、システム制御部１０１に送られる。これにより、システム制御部１０１は、光学ユニット制御部１０５や光源制御部１０７を制御するなどして、画像のコントラストの設定を、二次元コード画像用のコントラスト設定から、設定変更前のコントラスト設定に戻す（Ｓ５）。そして、再び、図３（ａ）に示す初期画面Ａをスクリーン２に表示させる（Ｓ６）。
【００３０】
スマートフォン１とプロジェクタ１０との間での通信は確立されたため、ユーザーは、スマートフォン１内の画像データをプロジェクタ１０へ送信することができる。したがって、ユーザーは、スマートフォン１を操作して、スマートフォン１の画面に表示されている画像と同じ画像をプロジェクタ１０からスクリーン２に表示させることができる。
【００３１】
二次元コード画像４をスマートフォン１のカメラで撮像してデコード処理する、すなわち、二次元コード画像４に格納された設定情報を読み取るには、二次元コード画像４中における設定情報を示した画像パターンを認識する必要がある。このとき、スマートフォン１のカメラで撮像された撮像画像のコントラストが低いほど、その画像パターンの認識率（画像パターンの認識に成功する度合い）が低くなり、二次元コード画像４に格納された設定情報を読み取ることが困難となる。
【００３２】
本実施形態によれば、二次元コード画像４を含むコード表示画面Ｂを投写する際、スクリーン２に表示される二次元コード画像４のコントラストが最大になるコントラスト設定に設定変更する。これにより、高いコントラストの二次元コード画像４がスクリーン２に表示される。したがって、この二次元コード画像４をスマートフォン１のカメラで撮像された撮像画像のコントラストは高いものとなり、その画像パターンの認識率が高まる。したがって、二次元コード画像４に格納された設定情報を読み取ることが容易になる結果、ユーザーが二次元コード画像４の撮影を何度もやり直したりすることがなくなり、また、設定情報を読み取るまでの時間が短くなったりして、利便性が高まる。
【００３３】
〔変形例１〕
次に、本実施形態における通信接続処理の一変形例（以下、本変形例を「変形例１」という。）について説明する。
図５は、本変形例１における通信接続処理の流れを示すフローチャートである。
プロジェクタ１０が低コントラスト動作モードである省エネモードで動作しているとき、スクリーン２に投写されるコード表示画面Ｂの明るさ（輝度）は全体的に暗いものとなり、そのコード表示画面Ｂに含まれる二次元コード画像４のコントラストは低いものとなる。ここでいう省エネモードとは、例えば定格出力が２５０Ｗであるランプを用いた光源１０８を通常の動作モードでは２５０Ｗで動作させるところ、これを１９０Ｗで動作させる動作モードである。
【００３４】
本変形例１では、コード表示画面Ｂを表示させる際、現在のモードが省エネモードであれば（Ｓ１０のＹｅｓ）、二次元コード画像４の認識率を高めるために二次元コード画像４のコントラストを高める二次元コード画像用のコントラスト設定に変更して（Ｓ２）、コード表示画面Ｂを投写する（Ｓ３）。しかしながら、省エネモードではなく通常モードであれば（Ｓ１０のＮｏ）、表示される二次元コード画像４は十分に高い認識率が得られるコントラストであり、コントラスト設定の変更は行わないまま、コード表示画面Ｂを投写する（Ｓ３）。
【００３５】
本変形例１によれば、投写画像が暗く、二次元コード画像４の認識率が特に低い動作モード（省エネモード）であるときだけ、二次元コード画像４のコントラストを高めて、二次元コード画像４の認識率を上げることができる。
【００３６】
〔変形例２〕
次に、本実施形態における通信接続処理の他の変形例（以下、本変形例を「変形例２」という。）について説明する。
図６は、本変形例２における通信接続処理の流れを示すフローチャートである。
プロジェクタ１０から画像が投写されるスクリーン２を照らす部屋の明るさ（照度）が明るいと、スクリーン２に投写されるコード表示画面Ｂに含まれる二次元コード画像４のコントラストは低いものとなる。
【００３７】
本変形例２では、コード表示画面Ｂを表示させる際、照度測定部１１７によりプロジェクタ１０の周囲の明るさを測定し、その測定値が閾値を超えている場合には、スクリーン２を照らす部屋の明るさ（照度）が明るいと判断し（Ｓ２０のＹｅｓ）、二次元コード画像４の認識率を高めるために二次元コード画像４のコントラストを高める二次元コード画像用のコントラスト設定に変更して（Ｓ２）、コード表示画面Ｂを投写する（Ｓ３）。一方、照度測定部１１７の測定値が閾値以下である場合には、スクリーン２を照らす部屋の明るさ（照度）が暗いと判断する（Ｓ２０のＮｏ）。この場合、表示される二次元コード画像４は十分に高い認識率が得られるコントラストであり、コントラスト設定の変更は行わないまま、コード表示画面Ｂを投写する（Ｓ３）。
【００３８】
本変形例２によれば、スクリーン２を照らす部屋の明るさ（照度）が明るく、二次元コード画像４の認識率が特に低い環境であるときだけ、二次元コード画像４のコントラストを高めて、二次元コード画像４の認識率を上げることができる。
【００３９】
なお、本実施形態では、スマートフォン１とプロジェクタ１０とを通信可能に接続するための設定情報が格納された二次元コード画像４を例に挙げて説明したが、二次元コード画像に格納される情報には特に制限はなく、どのような情報が格納された二次元コード画像であってもよい。
また、本実施形態では、情報格納画像がマトリックス型二次元コード画像である例について説明したが、格納情報に応じた画像パターンをもつ画像であれば、他の二次元コード画像であってもよいし、バーコード画像などであってもよい。
また、本実施形態では、表示手段が画像投写手段である場合について説明したが、画像投写手段以外の表示手段、例えば液晶表示装置などであっても同様である。
【００４０】
以上に説明したものは一例であり、次の態様毎に特有の効果を奏する。
（態様Ａ）
二次元コード画像４等の情報格納画像をスクリーン２等の表示面に表示する光学ユニット１０６等の表示手段と、前記表示手段により前記表示面に表示される画像のコントラストを変更する光学ユニット制御部１０５等のコントラスト変更手段とを有するプロジェクタ１０等の画像表示装置であって、前記表示手段により前記情報格納画像を表示するとき、前記コントラスト変更手段によりコントラストを高めるコントラスト制御を実行するシステム制御部１０１等のコントラスト制御手段を有することを特徴とする。
この態様によれば、例えば、設定情報等の格納情報に応じた画像濃度パターン等の画像パターンをもちスマートフォン１等の所定の情報読取手段で読み取られる情報格納画像に格納された格納情報の読み取りが困難な状況下でも、コントラスト変更手段によりコントラストを高めた情報格納画像を表示でき、その格納情報の読み取りが容易になる。
【００４１】
（態様Ｂ）
前記態様Ａにおいて、前記情報格納画像は、二次元コード画像であることを特徴とする。
これによれば、バーコード画像等よりも情報量の多い格納情報を扱うことができる。
【００４２】
（態様Ｃ）
前記態様Ａ又はＢにおいて、前記コントラスト制御手段は、前記所定の情報読取手段で前記情報格納画像に格納された格納情報を読み取るためのコントラスト条件が満たされているか否かを判断し、該コントラスト条件が満たされていない場合に前記コントラスト制御を実行し、該コントラスト条件が満たされている場合には前記コントラスト制御を実行しないことを特徴とする。
これによれば、情報格納画像に格納された格納情報を読み取るためのコントラスト条件満たされている場合には、更にコントラストを高めることが抑制される。これにより、コントラストを高めることによる弊害（情報格納画像と一緒に表示される他の画像が見にくくなる弊害など）が抑制される。
【００４３】
（態様Ｄ）
前記態様Ｃにおいて、画像のコントラストを低くする省エネモード等の低コントラスト動作モードと該低コントラスト動作モードよりもコントラストを高くする通常モード等の高コントラスト動作モードとを有し、前記コントラスト制御手段は、前記低コントラスト動作モードで動作しているときに前記コントラスト条件が満たされていないと判断することを特徴とする。
これによれば、十分にコントラストの高い情報格納画像が得られる高コントラスト動作モード時に、更にコントラストが高められることが抑制される。これにより、コントラストを高めることによる弊害（情報格納画像と一緒に表示される他の画像が見にくくなる弊害など）が抑制される。
【００４４】
（態様Ｅ）
前記態様Ｃ又はＤにおいて、前記表示面を照らす明るさを検出する照度測定部１１７等の検出手段を有し、前記コントラスト制御手段は、前記検出手段が検出した明るさが規定値を超えているときに前記コントラスト条件が満たされていないと判断することを特徴とする。
これによれば、表示面を照らす明るさが暗くて十分にコントラストの高い情報格納画像が得られる環境であれば、更にコントラストが高められることが抑制される。これにより、コントラストを高めることによる弊害（情報格納画像と一緒に表示される他の画像が見にくくなる弊害など）が抑制される。
【００４５】
（態様Ｆ）
前記態様Ａ〜Ｅのいずれかの態様において、前記表示手段は、前記表示面に画像を投写して表示する画像投写手段であることを特徴とする。
これによれば、例えば、投写した情報格納画像に格納された格納情報を所定の情報読取手段で読み取ることが困難な状況下でも、その格納情報の読み取りが容易になる。
【符号の説明】
【００４６】
１  スマートフォン
２  スクリーン
４  二次元コード画像
１０  プロジェクタ
１００  外部Ｉ／Ｆ部
１０１  システム制御部
１０５  光学ユニット制御部
１０６  光学ユニット
１０７  光源制御部
１０８  光源
１１１  操作部
１１３  記憶部
１１７  照度測定部
Ａ  初期画面
Ｂ  コード表示画面
【先行技術文献】
【特許文献】
【００４７】
【特許文献１】特開２０１５‐１６９９５２号公報
【図１】
2018004801.tif 000003
【図２】
2018004801.tif 000004
【図３】
2018004801.tif 000005
【図４】
2018004801.tif 000006
【図５】
2018004801.tif 000007
【図６】
2018004801.tif 000008